(57)【要約】【課題】熱交換器の凍結を防止しながら常時換気をすることができる熱交換形換気装置を提供することを目的とする。【解決手段】熱交換素子４と送風機３とを設けた熱交換機器部５と、低温風路７と高温風路９の仕切り１０に開口１１を設け、低温空気吸込口６と高温空気排気口８と開口１１にダンパーを備えた凍結防止部１２を熱交換器部５に設け、ダンパーの開閉機能により、熱交換素子４を通った高温空気１を開口１１に導くようにし、室内の高温空気１が低温空気２へ混入して、再度室内へ戻る構成とすることにより、熱交換素子４の凍結を防止しながら常時換気を図ることができる熱交換形換気装置を提供できる。【選択図】図３
2007170712.tif 000002
【特許請求の範囲】
【請求項１】
室内の高温空気と室外の低温空気の熱交換をおこなう熱交換素子と前記高温空気を室外へ送り、前記低温空気を室内へ送る送風機とを設けた熱交換機器部と、前記熱交換機器部の室外側に配置され、低温空気吸込口から前記熱交換機器部へ至る低温風路と、前記熱交換機器部から高温空気排気口へ至る高温風路、および、前記低温風路と前記高温風路の仕切りに空気が通り抜ける開口を設け、前記低温空気吸込口と前記高温空気排気口と前記開口に風路の開口面積を変える開閉機能を有したダンパーを備えた凍結防止部を設けた熱交換形換気装置において、前記ダンパーの開閉機能により、前記熱交換素子を通った前記高温空気を前記開口に導くようにし、室内の前記高温空気が前記低温空気へ混入して、再度前記室内へ戻る構成としたことを特徴とする熱交換形換気装置。
【請求項２】
低温空気吸込口から吸い込んだ低温空気の温度に応じて、前記低温空気吸込口と高温空気排気口および開口の通風路面積を、ダンパーにより調整する構成としたことを特徴とする請求項１記載の熱交換形換気装置。
【請求項３】
低温空気吸込口と高温空気排気口および開口の通風路面積を調整する、少なくとも二つ以上のダンパーを一体化して開閉機能を連動させる構成としたことを特徴とする請求項１または２記載の熱交換形換気装置。
【請求項４】
ダンパーの開閉機能を、すべて独立させる構成としたことを特徴とする請求項１または２記載の熱交換形換気装置。
【請求項５】
熱交換機器部の運転停止中に、ダンパーにより、低温空気吸入口と高温空気排気口から低温空気が流入することを遮断する構成としたことを特徴とする請求項１〜４のいずれかに記載の熱交換形換気装置。
【請求項６】
低温風路中に、フィルターを設ける構成としたことを特徴とする請求項１記載の熱交換形換気装置。
【請求項７】
凍結防止部を熱交換機器部と室外をつなぐダクト配管上に設ける構成としたことを特徴とする請求項１記載の熱交換形換気装置。
【請求項８】
凍結防止部に熱交換機器部を固定する固定具を、前記熱交換機器部に固定してから前記固定具に前記凍結防止部を固定する構成としたことを特徴とする請求項１記載の熱交換形換気装置。
【請求項９】
固定具が、凍結防止部の風路構成部品を兼ねる構成としたことを特徴とする請求項８記載の熱交換形換気装置。
【発明の詳細な説明】
【技術分野】
【０００１】
本発明は、室内の高温空気と室外の低温空気の熱交換をおこなう熱交換素子と前記高温空気を室外へ送り、前記低温空気を室内へ送る送風機とを設けた熱交換形換気装置において、前記熱交換素子の凍結を防止しながら常時換気をおこなうものに関する。
【背景技術】
【０００２】
従来、この種の熱交換型換気装置の一例として、換気装置の凍結防止装置が知られている（例えば、特許文献１参照）。
【０００３】
以下、その換気装置の凍結防止装置について、図８および図９を参照しながら説明する。
【０００４】
図８および図９に示すように、排気流路と給気流路を交差するように内部を形成し、その交差部に熱交換器１１５を配設した本体１０１の吸込側に、低温流路１０２と高温流路１０３を設けた箱体１０４が配置され、箱体１０４の一方の側面には低温流路入口１０５と高温流路入口１０７が、また、もう一方の側面には低温流路出口１０６と高温流路出口１０８が設けられ、低温流路１０６は本体１０１の吸込口１０９と接続され、高温流路出口１０８は本体１０１の吸込口１１０と接続され、また、低温流路１０２と高温流路１０３を仕切るとともに両流路１０２と１０３を連通する開口１１１を設けた隔壁１１２を設け、そして、低温流路１０２に枢着され、開口１１１と低温流路入口１０５に流入する空気温度が低く、熱交換器１１５に結氷が生じたときは、ダンパー１１３、１１４を回動し、開口１１１を開放し、低温流路入口１０５と高温流路出口１０８を閉鎖し、高温流路入口１０７から流入した高温空気が熱交換器１１５を通って結氷が融解される構成としている。
【特許文献１】実開昭６２−１７７４３号公報（７項、８項、第１図、第２図）
【発明の開示】
【発明が解決しようとする課題】
【０００５】
このような従来の換気装置の凍結防止装置では、熱交換器１１５の結氷の融解時にはダンパー１１３が低温流路入口１０５を、ダンパー１１４が高温流路出口１０８を閉鎖して室内の汚れた空気が室外へ排気されず、また、室外の新鮮な空気が室内へ給気されないため室内の換気がおこなわれない状態になるという課題があり、熱交換器の凍結を防止しながら常時換気をすることが要求されている。
【０００６】
本発明はこのような従来の課題を解決するものであり、熱交換器の凍結を防止しながら常時換気をすることができる熱交換形換気装置を提供することを目的としている。
【課題を解決するための手段】
【０００７】
本発明の熱交熱交換形換気装置は、上記目的を達成するために、室内の高温空気と室外の低温空気の熱交換をおこなう熱交換素子と前記高温空気を室外へ送り、前記低温空気を室内へ送る送風機とを設けた熱交換機器部と、前記熱交換機器部の室外側に配置され、低温空気吸込口から前記熱交換機器部へ至る低温風路と、前記熱交換機器部から高温空気排気口へ至る高温風路、および、前記低温風路と前記高温風路の仕切りに空気が通り抜ける開口を設け、前記低温空気吸込口と前記高温空気排気口と前記開口に風路の開口面積を変える開閉機能を有したダンパーを備えた凍結防止部を設けた熱交換形換気装置において、前記ダンパーの開閉機能により、前記熱交換素子を通った前記高温空気を前記開口に導くようにし、室内の前記高温空気が前記低温空気へ混入して、再度前記室内へ戻る構成としたものである。
【０００８】
この手段により、熱交換素子の凍結を防止しながら常時換気を図ることができる熱交換形換気装置を得ることができる。
【０００９】
また、他の手段は、低温空気吸込口から吸い込んだ低温空気の温度に応じて、前記低温空気吸込口と高温空気排気口および開口の通風路面積を、ダンパーにより調整する構成としたものである。
【００１０】
この手段により、熱交換機器部へ給気される空気を常に熱交換素子が凍結しない温度に保ちながら同時に最大限の換気量確保を図ることができる熱交換形換気装置を得ることができる。
【００１１】
また、他の手段は、低温空気吸込口と高温空気排気口および開口の通風路面積を調整する、少なくとも二つ以上のダンパーを一体化して開閉機能を連動させる構成としたものである。
【００１２】
この手段により、省スペースと省コストを図ることができる熱交換形換気装置を得ることができる。
【００１３】
また、他の手段は、ダンパーの開閉機能を、すべて独立させる構成としたものである。
【００１４】
この手段により、ダンパーの微細な開度の調整をすることができる熱交換形換気装置を得ることができる。
【００１５】
また、他の手段は、熱交換機器部の運転停止中に、ダンパーにより、低温空気吸入口と高温空気排気口から低温空気が流入することを遮断する構成としたものである。
【００１６】
この手段により、室外から侵入してくる低温空気や音の遮断を図ることができる熱交換形換気装置を得ることができる。
【００１７】
また、他の手段は、低温風路中に、フィルターを設ける構成としたものである。
【００１８】
この手段により、屋外の汚れた低温空気と、屋内の汚れた高温空気の浄化を図ることができる熱交換形換気装置を得ることができる。
【００１９】
また、他の手段は、凍結防止部を熱交換機器部と室外をつなぐダクト配管上に設ける構成としたものである。
【００２０】
この手段により、設置スペースが少ない天井裏においてダクト配管のスペースを利用して機器の設置を図ることができる熱交換形換気装置を得ることができる。
【００２１】
また、他の手段は、凍結防止部に熱交換機器部を固定する固定具を、前記熱交換機器部に固定してから前記固定具に前記凍結防止部を固定する構成としたものである。
【００２２】
この手段により、施工性の向上を図ることができる熱交換形換気装置を得ることができる。
【００２３】
また、他の手段は、固定具が、凍結防止部の風路構成部品を兼ねる構成としたものである。
【００２４】
この手段により、部品点数の削減を図ることができる熱交換形換気装置を得ることができる。
【発明の効果】
【００２５】
本発明によれば、室内の高温空気と室外の低温空気の熱交換をおこなう熱交換素子と前記高温空気を室外へ送り、前記低温空気を室内へ送る送風機とを設けた熱交換機器部と、前記熱交換機器部の室外側に配置され、低温空気吸込口から前記熱交換機器部へ至る低温風路と、前記熱交換機器部から高温空気排気口へ至る高温風路、および、前記低温風路と前記高温風路の仕切りに空気が通り抜ける開口を設け、前記低温空気吸込口と前記高温空気排気口と前記開口に風路の開口面積を変える開閉機能を有したダンパーを備えた凍結防止部を設けた熱交換形換気装置において、前記ダンパーの開閉機能により、前記熱交換素子を通った前記高温空気を前記開口に導くようにし、室内の前記高温空気が前記低温空気へ混入して、再度前記室内へ戻る構成にすることにより、熱交換素子の凍結を防止しながら常時換気をおこなうことができるという効果のある熱交換形換気装置を提供できる。
【００２６】
また、低温空気吸込口から吸い込んだ低温空気の温度に応じて、前記低温空気吸込口と高温空気排気口および開口の通風路面積を、ダンパーにより調整する構成にすることにより、熱交換機器部へ給気される空気を常に熱交換素子が凍結しない温度に保ちながら同時に最大限の換気量確保を図ることができるという効果のある熱交換形換気装置を提供できる。
【００２７】
また、低温空気吸込口と高温空気排気口および開口の通風路面積を調整する、少なくとも二つ以上のダンパーを一体化して開閉機能を連動させる構成にすることにより、省スペースと省コストを図ることができるという効果のある熱交換形換気装置を提供できる。
【００２８】
また、ダンパーの開閉機能を、すべて独立させる構成にすることにより、ダンパーの微細な開度の調整をすることができるという効果のある熱交換形換気装置を提供できる。
【００２９】
また、熱交換機器部の運転停止中に、ダンパーにより、低温空気吸入口と高温空気排気口から低温空気が流入することを遮断する構成にすることにより、室外から侵入してくる低温空気や音の遮断を図ることができるという効果のある熱交換形換気装置を提供できる。
【００３０】
また、低温風路中に、フィルターを設ける構成にすることにより、室外から給気される低温空気と室内へ戻る高温空気を浄化することができるという効果のある熱交換形換気装置を提供できる。
【００３１】
また、凍結防止部を熱交換機器部と室外をつなぐダクト配管上に設ける構成にすることにより、設置スペースが少ない天井裏においてダクト配管のスペースを利用して機器の設置を図ることができるという効果のある熱交換形換気装置を提供できる。
【００３２】
また、凍結防止部に熱交換機器部を固定する固定具を、前記熱交換機器部に固定してから前記固定具に前記凍結防止部を固定する構成にすることにより、施工性の向上を図ることができるという効果のある熱交換形換気装置を提供できる。
【００３３】
また、固定具が、凍結防止部の風路構成部品を兼ねる構成にすることにより、部品点数の削減を図ることができるという効果のある熱交換形換気装置を提供できる。
【発明を実施するための最良の形態】
【００３４】
本発明の請求項１記載の熱交換形換気装置は、室内の高温空気と室外の低温空気の熱交換をおこなう熱交換素子と前記高温空気を室外へ送り、前記低温空気を室内へ送る送風機とを設けた熱交換機器部と、前記熱交換機器部の室外側に配置され、低温空気吸込口から前記熱交換機器部へ至る低温風路と、前記熱交換機器部から高温空気排気口へ至る高温風路、および、前記低温風路と前記高温風路の仕切りに空気が通り抜ける開口を設け、前記低温空気吸込口と前記高温空気排気口と前記開口に風路の開口面積を変える開閉機能を有したダンパーを備えた凍結防止部を設けた熱交換形換気装置において、前記ダンパーの開閉機能により、前記熱交換素子を通った前記高温空気を前記開口に導くようにし、室内の前記高温空気が前記低温空気へ混入して、再度前記室内へ戻る構成としたことにより、低温空気吸込口と高温空気排気口および低温風路と高温風路の仕切りに設けた開口を適度に開けておくことで、熱交換機器部から排気された高温空気の一部は低温風路と高温風路の仕切りに設けた開口を通って高温風路から低温風路へ入り、低温空気吸込口から吸い込まれた低温空気と混ざって混合空気となり温度が上がった状態で熱交換機器部へ給気されるため、熱交換素子の凍結防止を図ることができ、同時に、熱交換機器部から排気された残りの高温空気は高温空気排気口から室外へ排気されるため常時換気を図ることができるという作用を有する。
【００３５】
また、本発明の請求項２記載の熱交換形換気装置は、低温空気吸込口から吸い込んだ低温空気の温度に応じて、前記低温空気吸込口と高温空気排気口および開口の通風路面積を、ダンパーにより調整する構成にしたことにより、低温空気吸込口から吸い込んだ低温空気の温度によって低温空気吸込口と高温空気排気口および開口の開度を調整して、熱交換機器部へ給気される空気を常に熱交換素子が凍結しない温度に保ちながら同時に最大限の換気量確保を図ることができるという作用を有する。
【００３６】
また、本発明の請求項３記載の熱交換形換気装置は、低温空気吸込口と高温空気排気口および開口の通風路面積を調整する、少なくとも二つ以上のダンパーを一体化して開閉機能を連動させる構成にしたことにより、ダンパーを駆動させるモータを減らすことができ、省スペースと省コストを図ることができるという作用を有する。
【００３７】
また、本発明の請求項４記載の熱交換形換気装置は、ダンパーの開閉機能を、すべて独立させる構成にしたことにより、低温空気吸込口と高温空気排気口および開口のそれぞれにおいて、微細な開度の調整を図ることができるという作用を有する。
【００３８】
また、本発明の請求項５記載の熱交換形換気装置は、熱交換機器部の運転停止中に、ダンパーにより、低温空気吸入口と高温空気排気口から低温空気が流入することを遮断する構成にしたことにより、熱交換機器部の運転停止中に室外から低温空気吸込口と高温空気排気口を通過して侵入してくる低温空気や音の遮断を図ることができるという作用を有する。
【００３９】
また、本発明の請求項６記載の熱交換形換気装置は、低温風路中に、フィルターを設ける構成にしたことにより、低温空気吸込口から吸い込んだ屋外の汚れた低温空気と、熱交換機器部から排気され低温風路と高温風路の仕切りに設けた開口を通って高温風路から低温風路へ入ってくる屋内の汚れた高温空気の浄化を図ることができるという作用を有する。
【００４０】
また、本発明の請求項７記載の熱交換形換気装置は、凍結防止部を熱交換機器部と室外をつなぐダクト配管上に設ける構成にしたことにより、熱交換機器部と凍結防止部が一体か否かに関わらず設置スペースが少ない天井裏において、ダクト配管のスペースを利用して機器の設置を図ることができるという作用を有する。
【００４１】
また、本発明の請求項８記載の熱交換形換気装置は、凍結防止部に熱交換機器部を固定する固定具を、前記熱交換機器部に固定してから前記固定具に前記凍結防止部を固定する構成にしたことにより、熱交換機器部へ固定する場合に凍結防止部を吊る必要がなくなり、先に吊った熱交換機器部への後付けも可能となって施工性の向上を図ることができるという作用を有する。
【００４２】
また、本発明の請求項９記載の熱交換形換気装置は、固定具が、凍結防止部の風路構成部品を兼ねる構成にしたことにより、熱交換機器部へ固定する際、部品点数の削減を図ることができるという作用を有する。
【００４３】
以下、本発明の実施の形態について、図面を参照しながら説明する。
【００４４】
（実施の形態１）
本発明の実施の形態１について、図１〜図３に基づいて説明する。
【００４５】
図１〜図３に示すように、室内の高温空気１と室外の低温空気２を送風機３と熱交換素子４により熱交換し、室外の給気と室内の排気をおこなう熱交換機器部５と熱交換機器部５の室外側に配置され、低温空気吸込口６から熱交換機器部５へ至る低温風路７と、熱交換機器部５から高温空気排気口８へ至る高温風路９、および、低温風路７と高温風路９の仕切り１０に設けた開口１１により得られるパイパス風路を有し、低温空気吸込口６から吸い込んだ低温空気２と、熱交換機器部５から排気され高温風路９から開口１１を通して低温風路７へ戻された高温空気１が通る低温風路７に、フィルター１７を設け、低温空気吸込口６と高温空気排気口８および開口１１に、ダンパー１４、１５、１６による開閉機能を備えた凍結防止部１２とから成る熱交換形換気装置において、図２に示すように凍結防止部１２の低温空気吸込口６より上流に温度センサー１３を配置し、温度に応じて凍結防止部１２の低温空気吸込口６と高温空気排気口８および開口１１の開度をダンパーにより変化させることで、低温空気吸込口６から低温風路７へ吸い込まれる低温空気２の量と高温風路９から高温空気排気口８へ排気される高温空気１の量、および、高温風路９から開口１１を通って低温風路７へ戻る高温空気１の量を自在に調整する構成としている。
【００４６】
上記構成により、図２に示すように、低温空気吸込口用のダンパー１４と高温空気排気口用のダンパー１５が、低温空気吸込口６と高温空気排気口８を全開にし、仕切り開口用のダンパー１６が開口１１を全閉することにより熱交換機器部５から排気される高温空気１が、高温風路９を通り高温空気排気口８からすべて室外へ排気され、低温空気吸込口６から吸い込まれた低温空気２が、低温風路７を通過し熱交換機器部５へ給気される運転状態において、低温空気吸込口６から吸い込んだ室外の低温空気２の温度が熱交換素子４を凍結させる温度より高いと温度センサー１３が判断した場合には、この運転状態を継続する。また、低温空気吸込口６から吸い込んだ室外の低温空気２の温度が熱交換素子４を凍結させる温度以下であると温度センサー１３が判断した場合には、図３に示すように、低温空気吸込口用のダンパー１４と高温空気排気口用のダンパー１５が、低温空気吸込口６と高温空気排気口８の開度を小さくし、仕切り開口用のダンパー１６が開口１１を開くため、高温空気１の一部が高温風路９から開口１１を通って低温風路７へ入り、低温空気吸込口６から吸い込まれた低温空気２と混ざって混合空気１９となり、温度が上がった状態で熱交換機器部５へ給気され熱交換素子４の凍結防止を図ることができる。
【００４７】
またこの際、熱交換機器部５から排気され、開口１１から低温風路７へ入らなかった残りの高温空気１は高温空気排気口８から室外へ排気されるため常時換気をしながら熱交換素子４の凍結防止を図ることができる。
【００４８】
また、低温空気２の温度によって、低温空気吸込口用のダンパー１４と高温空気排気口用のダンパー１５および仕切り開口用のダンパー１６を動かして、低温空気吸込口６と高温空気排気口８および開口１１の開度を常に変化させることで、低温空気吸込口６から吸い込んだ低温空気２の温度が変化しても熱交換機器部５へ給気される混合空気１９を熱交換素子４が凍結しない下限の温度に保ちながら最大限の換気をおこなうことができる。
【００４９】
また、低温空気吸込口６から吸い込んだ室外の低温空気２の温度が上昇していき熱交換素子４を凍結させる温度より高いと再び温度センサー１３が判断した場合には、図２に示す運転状態へ戻る。
【００５０】
また、低温空気吸込口６から吸い込んだ屋外の汚れた低温空気２と、熱交換機器部５から排気され、開口１１を通って高温風路９から低温風路７へ入ってくる屋内の汚れた高温空気１を浄化して、混合空気１９や屋外の低温空気２そのものを得ることができる。
【００５１】
（実施の形態２）
本発明の実施の形態２について、図４に基づいて説明する。
【００５２】
図４において、実施の形態１、２と同じ構成要素については同じ符号を用いその説明を省略する。
【００５３】
図４に示すように、低温空気吸込口６と高温空気排気口８および開口１１の開度を変化させる低温空気吸込口用のダンパー１４と高温空気排気口用のダンパー１５および仕切り開口用のダンパー１６のうち、二つのダンパーを一体化して動きを連動させる構成としている。
【００５４】
上記構成により、ダンパー１４、１５、１６を駆動させるモータを減らすことができ、省スペースと省コストを図ることができる。
【００５５】
また、低温空気吸込口６と高温空気排気口８および開口１１の開度を変化させる低温空気吸込口用ダンパー１４と高温空気排気口用ダンパー１５および仕切り開口用ダンパー１６の動きをすべて独立させる構成としている。
【００５６】
上記構成により、他のダンパーの動きに影響を受けることなく低温空気吸込口６と高温空気排気口８および開口１１それぞれの通風路面積を変化させることができるため、混合空気１９の温度調整と換気量の調整を自在におこなうことができる。
【００５７】
（実施の形態３）
本発明の実施の形態３について、図５に基づいて説明する。
【００５８】
図５において、図４と同じ構成については同じ符号を用いその説明を省略する。
【００５９】
図５に示すように、熱交換機器部５の運転停止中に低温空気吸込口６と高温空気排気口８を、低温空気吸込口用のダンパー１４と高温空気排気口用のダンパー１５により閉じる構成としている。
【００６０】
上記構成により、熱交換機器部５の運転停止中に室外から低温空気吸込口６と高温空気排気口８を通過して侵入してくる低温空気２や音の遮断を図ることができる。
【００６１】
（実施の形態４）
本発明の実施の形態４について、図６に基づいて説明する。
【００６２】
図６において、図２〜図５と同じ構成については同じ符号を用いその説明を省略する。
【００６３】
図６（ａ）に示すように、凍結防止部１２は、熱交換機器部５と一体の構成にして、室内外をつなぐダクト配管２０上に設ける構成としている。
【００６４】
上記構成により、熱交換機器部５と凍結防止部１２を一体の構成としているが、同図６（ｂ）のように、熱交換機器部５と凍結防止部１２とをダクト配管で接続した構成としてもその構成に関わらず設置スペースが少ない天井裏において、ダクト配管２０のスペースを利用して機器の設置を図ることができる。
【００６５】
（実施の形態５）
本発明の実施の形態５について、図７に基づいて説明する。
【００６６】
図７において、図１〜図６と同じ構成については同じ符号を用いその説明を省略する。
【００６７】
図７に示すように、凍結防止部１２を熱交換機器部５に固定する場合に、凍結防止部１２の風路構成を兼ねた固定具１８を熱交換機器部５に固定してからその固定具１８に凍結防止部１２を固定する構成としている。
【００６８】
上記構成により、凍結防止部１２を熱交換機器部５へ固定する際、凍結防止部１２を上から吊る必要がなくなり、また、あらかじめ吊った熱交換機器部５への後付けも可能となり施工性の向上を図ることができる。
【００６９】
また、風路を構成する部品と固定具１８を兼ねることにより部品点数の削減を図ることができる。
【産業上の利用可能性】
【００７０】
室内から排気される高温空気の一部を室外から給気される低温空気に混ぜることで、熱交換素子の凍結を防止しながら常時換気をおこなうことが必要な換気装置分野等の用途にも適応できる。
【図面の簡単な説明】
【００７１】
【図１】本発明の実施の形態１の熱交換形換気装置の凍結防止部構造を示す斜視図
【図２】同熱交換形換気装置の底面側構成図
【図３】同熱交換形換気装置の底面側構成図
【図４】本発明の実施の形態２熱交換形換気装置の底面側構成図
【図５】本発明の実施の形態３の熱交換形換気装置の底面側構成図
【図６】本発明の実施の形態４の熱交換形換気装置の側面側および底面側構成図
【図７】本発明の実施の形態５の熱交換形換気装置の斜視図
【図８】従来の熱交換形換気装置の構成図
【図９】同熱交換形換気装置の構成図
【符号の説明】
【００７２】
１    高温空気
２    低温空気
３    送風機
４    熱交換素子
５    熱交換機器部
６    低温空気吸込口
７    低温風路
８    高温空気排気口
９    高温風路
１０  仕切り
１１  開口
１２  凍結防止部
１３  温度センサー
１４  ダンパー
１５  ダンパー
１６  ダンパー
１７  フィルター
１８  固定具
２０  ダクト配管
【図１】
2007170712.tif 000003
【図２】
2007170712.tif 000004
【図３】
2007170712.tif 000005
【図４】
2007170712.tif 000006
【図５】
2007170712.tif 000007
【図６】
2007170712.tif 000008
【図７】
2007170712.tif 000009
【図８】
2007170712.tif 000010
【図９】
2007170712.tif 000011